(57)【要約】      （修正有）【課題】写真などの資料を穴あけで損傷することなく、しかも曲がりなく整然と且つ割り振り容易にレイアウトして、貼付けフック掛け吊下げやバインダーノートによるファイル綴じができるようにする。【解決手段】帯状シート１の一面または両面の長手方向の一側に剥離紙当てしてかくしてなる糊付面２を設け、該糊付面に平行して他側に吊下げ用とバインダー綴じ用を兼ねた大小の止穴４を並設し、該止穴列に平行して前記糊付面との間に目視合わせ用の穴５または印線を等間隔を置いて並設し、吊下げまたはバインダー綴じによりファイルしたい印刷物，写真などの資料の端部を剥離紙を剥がして表出させた糊付面に前記の目視合わせ用の穴または印線に合わせて貼着し、端部外に突出する大小の止穴を用いてフック掛け吊下げまたは重ね綴じを可能にしたことを特徴とする写真等の資料の吊下げまたはファイル用帯状シートにある。【選択図】図２
0003101159.tif 000002
【実用新案登録請求の範囲】
【請求項１】
帯状シートの一面または両面の長手方向の一側に剥離紙当てしてかくしてなる糊付面を設け、該糊付面に平行して他側に吊下げ用とバインダー綴じ用を兼ねた大小の止穴を並設し、該止穴列に平行して前記糊付面との間に目視合わせ用の穴または印線を等間隔を置いて並設し、吊下げまたはバインダー綴じによりファイルしたい印刷物，写真などの資料の端部を剥離紙を剥がして表出させた糊付面に前記の目視合わせ用の穴または印線に合わせて貼着し、端部外に突出する大小の止穴を用いてフック掛け吊下げまたは重ね綴じを可能にし、写真などの割り振り貼着を可能にしたことを特徴とする写真等の資料の吊下げまたはファイル用帯状シート。
【考案の詳細な説明】
【技術分野】
【０００１】
この考案は印刷物，写真等の資料の吊下げまたはファイル用帯状シートに関するものである。
【背景技術】
【０００２】
写真などは穴あけしてしまっては台無しとなるために直接バインダー綴じのファイルはできず、直接フック掛けして吊下げることもできない。従ってアルバム帳の各頁に貼付けたり、台紙上に糊付けしたりしてファイルしてきたものである。これを解決するために実開平６−４６９７４号公報の考案が提案されている。該考案は細長いシート状の支持体の片側に長手方向に沿って適数の綴穴を穿設し、前記支持体の少なくとも一面には再剥離可能な粘着剤を塗布してある粘着面を揃えていることを特徴とするバインダーファイルの綴部材を記載している。
【特許文献１】実開平６−４６９７４号公報
【考案の開示】
【考案が解決しようとする課題】
【０００３】
しかしながら、該考案は粘着面に印刷部や写真などの資料を接着する際に定規となるものがないためにまっすぐに貼付けることが難しく、また数枚の写真などを割り振りよくレイアウトすることができないという課題がある。
【課題を解決するための手段】
【０００４】
本考案は帯状シートの一面または両面の長手方向の一側に剥離紙当てしてかくしてなる糊付面を設け、該糊付面に平行して他側に吊下げ用とバインダー綴じ用を兼ねた大小の止穴を並設し、該止穴列に平行して前記糊付面との間に目視合わせ用の穴または印線を等間隔を置いて並設し、吊下げまたはバインダー綴じによりファイルしたい印刷物，写真などの資料の端部を剥離紙を剥がして表出させた糊付面に前記の目視合わせ用の穴または印線に合わせて貼着し、端部外に突出する大小の止穴を用いてフック掛け吊下げまたは重ね綴じを可能にし、写真などの割り振り貼着を可能にして、かかる課題を解決するようにしたのである。
【考案の効果】
【０００５】
本考案は以上のようにして、写真等の資料を穴あけすることなく、その端部を帯状シートの一側の糊付面に目視合わせ穴または印線に合わせて貼着すれば、帯状シートに対してまっすぐに貼付けることができ、また数枚の写真などは割り振りを容易にしてレイアウト自由に整然と貼付けることができ、端部外に突出する止穴を用いて吊下げまたはファイル綴じすることができるという効果を生ずる。
【実施例１】
【０００６】
図１（ａ）（ｂ）に示すように長短各種の帯状シート１を形成する。また帯状シート１は図１（ｃ）に示すように使用者が適宜の長さに裁断して用いることもできる。該帯状シート１は一面の長手方向の一側に糊付面２を設け、該糊付面２を剥離紙３当てかくし、糊付面２に平行して他側に吊下げ用とファイル用を兼ねた大小の止穴４を並設する。また止穴４列に平行して糊付面２との間に目視合わせ穴５を等間隔にて並設している。図２に示すように印刷物，写真等の資料６の端部を剥離紙３を剥がした帯状シート１の糊付面２に接着する際に資料６の外端を目視合わせ穴５を見ながら貼ることによりまっすぐに貼着し得て曲がることが防がれることとなる。また図４，図５に示すように等間隔に設けた目視合わせ穴５を定規にして数枚の写真などの資料６を割り振りよくレイアウトすることもできることとなる。また目視合わせ穴５は反対側を見透すこともできるので、裏返して使うときも目視合わせすることができる。なお図５に示すように資料を貼着しない部分が生ずるときは、使用する部分の剥離紙３だけを剥がし取って使用することもできる。
【０００７】
写真，印刷物などの吊下げまたはファイル綴じしたい資料６は剥離紙３を剥がして表出させた一面または両面の糊付面２に目視合わせ穴５に端部を合わせて貼付けて帯状シート１につなげ、貼付けた資料６の端部外に突出する多数の止穴４を用いて図３（ａ）に示すように吊下げフック７に嵌めて吊下げ、または図３（ｂ）に示すようにバインダー８などに通してファイル綴じするのである。
【実施例２】
【０００８】
図６は帯状シート１の両面に糊付面２を設けた使用例を示すものであるが、一面の糊付面２だけを使用することもある。
【０００９】
図７は目視合わせ穴にかえて糊付面２と止穴４間に等間隔を置いた印線５ａを並設した例を示すものである。印線５ａに合わせることで貼り曲がりを解消し、また数枚の写真などの資料６を印線５ａに合わせてレイアウトすることができることは前例に同じである。
【産業上の利用可能性】
【００１０】
本考案は以上のようにして、穴あけなどで損傷したくない写真，印刷物などの資料を曲がりなく、しかも数枚の写真などを割り振り容易にレイアウトして、フック掛け吊下げ、またはバインダーによるファイル綴じすることができて、陳列や整然とした保存が望まれる写真等の資料の整理に広く利用することができるものとなる。
【図面の簡単な説明】
【００１１】
【図１】（実施例１）（ａ）は帯状シートの平面図、（ｂ）短尺の帯状シートの平面図、（ｃ）は使用者が適宜の長さに裁断する例を示す平面図
【図２】（ａ）は剥離紙を剥がす状態を示す平面図、（ｂ）は糊付面に資料の端部を貼着した平面図
【図３】（ａ）は帯状シートの止穴を用いて壁面に取付けたフックに掛け吊り下げした例の斜視図、（ｂ）はバインダーに重ね綴じする例を示す斜視図
【図４】帯状シートを裏返して使用し、写真等の小さな資料を内側に配置し、印刷物等の大きな資料を重ね貼りした例を示す平面図
【図５】数枚の写真などを目視合わせ穴を定規としてレイアウトした例を示す平面図
【図６】（実施例２）帯状シートの両面に糊付面を設けた例を示すもので、（ａ）は資料を貼付した状態の部分拡大断面図、（ｂ）は同、全体斜視図
【図７】（実施例３）目視合わせ穴にかえて印線を等間隔を置いて並設した例を示す平面図
【符号の説明】
【００１２】
１は帯状シート
２は糊付面
３は剥離紙
４は止穴
５は目視合わせ穴
５ａは印線
６は資料
７はフック
８はバインダー
【図１】
0003101159.tif 000003
【図２】
0003101159.tif 000004
【図３】
0003101159.tif 000005
【図４】
0003101159.tif 000006
【図５】
0003101159.tif 000007
【図６】
0003101159.tif 000008
【図７】
0003101159.tif 000009